(57)【要約】【課題】非接触ＩＣカードを搭載した移動機を紛失した場合において、その移動機の所有者のプライバシーを保護しつつ、その移動機の探索に要する手間を軽減する。【解決手段】移動機１００は、情報端末４００からの遠隔操作によりロック設定された状態では、移動機１００に搭載された非接触ＩＣカードが自動改札から取得した入場記録／退場記録に基づいて、移動機１００の所有者が最後に入場または退場した駅の駅名を移動機１００に表示するとともに、移動機１００に予めアドレスが登録されている情報端末５００へ電子メールで転送する。【選択図】図４
2006074660.tif 000002
【特許請求の範囲】
【請求項１】
ユーザが自動改札機を通過する際に、該自動改札機と非接触で通信を行うことにより前記ユーザが入場または退場した駅の駅名とその時刻とを含む入場記録または退場記録を取得する非接触ＩＣカードを搭載した移動機において、
前記非接触ＩＣカードが搭載される非接触ＩＣカード搭載手段と、
ネットワーク経由で無線通信を行う無線手段と、
表示手段と、
操作手段と、
記憶手段と、
第１の情報端末による遠隔操作により前記移動機をロック設定する旨の通知が前記ネットワーク経由で前記無線手段に受信された場合、前記操作手段での操作を無効として前記移動機をロック設定するとともに、前記移動機が遠隔操作によりロック設定された状態において、前記非接触ＩＣカードが取得した前記入場記録または前記退場記録に基づいて前記ユーザが最後に入場または退場した駅の駅名を取得し、取得した駅名を前記表示手段に表示する制御手段とを有することを特徴とする移動機。
【請求項２】
ユーザが自動改札機を通過する際に、該自動改札機と非接触で通信を行うことにより前記ユーザが入場または退場した駅の駅名とその時刻とを含む入場記録または退場記録を取得する非接触ＩＣカードを搭載した移動機において、
前記非接触ＩＣカードが搭載される非接触ＩＣカード搭載手段と、
ネットワーク経由で無線通信を行う無線手段と、
表示手段と、
操作手段と、
記憶手段と、
第１の情報端末による遠隔操作により前記移動機をロック設定する旨の通知が前記ネットワーク経由で前記無線手段に受信された場合、前記操作手段での操作を無効として前記移動機をロック設定するとともに、前記移動機が遠隔操作によりロック設定された状態において、前記非接触ＩＣカードが取得した前記入場記録または前記退場記録に基づいて前記ユーザが入場または退場した頻度が最も高い駅の駅名を取得し、取得した駅名を前記表示手段に表示する制御手段とを有することを特徴とする移動機。
【請求項３】
前記制御手段は、前記移動機が遠隔操作によりロック設定された状態において、前記入場記録または前記退場記録に基づいて取得した駅名を、メッセージの本文中に埋め込んだ形で前記表示手段に表示する、請求項１または２に記載の移動機。
【請求項４】
前記記憶手段には、前記第１の情報端末とは異なる第２の情報端末のアドレスが登録されており、
前記制御手段は、前記移動機が遠隔操作によりロック設定された状態において、前記入場記録または前記退場記録に基づいて取得した駅名を、前記記憶手段にアドレスが登録されている前記第２の情報端末宛に、前記無線手段から前記ネットワーク経由で送信する、請求項１から３のいずれか１項に記載の移動機。
【請求項５】
前記記憶手段には、前記移動機の識別番号が登録されており、
前記制御手段は、前記移動機が遠隔操作によりロック設定された状態において、前記入場記録または前記退場記録に基づいて取得した駅名と同時に前記記憶手段に登録されている前記移動機の識別番号を前記表示手段に表示し、また、前記入場記録または前記退場記録に基づいて取得した駅名と同時に前記記憶手段に登録されている前記移動機の識別番号を、前記記憶手段にアドレスが登録されている前記第２の情報端末宛に、前記無線手段から前記ネットワーク経由で送信する、請求項４に記載の移動機。
【請求項６】
前記記憶手段には、前記第１の情報端末のアドレスが登録されており、
前記制御手段は、前記移動機が遠隔操作によりロック設定された状態において、前記入場記録または前記退場記録に基づいて取得した駅名を、前記記憶手段にアドレスが登録されている前記第１の情報端末宛に、前記無線手段から前記ネットワーク経由で送信する、請求項１から３のいずれか１項に記載の移動機。
【請求項７】
前記記憶手段には、前記移動機の識別番号が登録されており、
前記制御手段は、前記移動機が遠隔操作によりロック設定された状態において、前記入場記録または前記退場記録に基づいて取得した駅名と同時に前記記憶手段に登録されている前記移動機の識別番号を前記表示手段に表示し、また、前記入場記録または前記退場記録に基づいて取得した駅名と同時に前記記憶手段に登録されている前記移動機の識別番号を、前記記憶手段にアドレスが登録されている前記第１の情報端末宛に、前記無線手段から前記ネットワーク経由で送信する、請求項６に記載の移動機。
【発明の詳細な説明】
【技術分野】
【０００１】
本発明は、ユーザが自動改札機を通過する際に、その自動改札機と非接触で通信を行うことによりユーザが入場または退場した駅の駅名とその時刻とを含む入場記録または退場記録を取得する非接触ＩＣカードを搭載した移動機に関する。なお、本明細書では、「ユーザ」とは、移動機の所有者のことを指すものとする。
【背景技術】
【０００２】
近年、鉄道用等の自動改札システムとして、無線通信機能を備える定期券やプリペイドカード等の非接触ＩＣカードを非接触で自動改札機と通信させて、その自動改札機を通過させるシステムが普及してきている。また、この無線通信機能を備える非接触ＩＣカードを携帯電話機やＰＨＳ（Personal Handyphone System）等の移動機へ搭載し、移動機に搭載された状態で非接触ＩＣカードを自動改札機と通信させるシステムも提案されている。
【０００３】
また、移動機の中には、離れた場所からの遠隔操作を可能とする機能を備えた機種も増えてきている。そのため、例えば、移動機を紛失した場合、プライバシー保護のために遠隔操作により移動機をロック設定（移動機のボタン押下による操作を無効とする設定）すること等が可能である。なお、遠隔操作の方法としては、移動機の電話番号に電話をかけて特定のコード番号を入力して操作する方法や、特定のフォーマットに従ったメールを移動機に送信して操作する方法等がある（例えば、特許文献１参照）。
【特許文献１】特開２００１−１７７８７３号公報
【発明の開示】
【発明が解決しようとする課題】
【０００４】
上述した従来技術のように、非接触ＩＣカードを搭載した移動機を紛失した場合に、移動機をロック設定することはプライバシー保護の観点からは重要である。
【０００５】
その一方、移動機に搭載された非接触ＩＣカードを利用して自動改札機を１回でも通過していれば、その非接触ＩＣカードには、ユーザが入場または退場した駅での入場記録または退場記録が自動改札機から取得されていると考えられる。この入場記録または退場記録は、移動機を拾得した拾得者にとって移動機の所有者を特定する重要な手がかりとなるはずである。しかし、移動機をロック設定すると、拾得者は移動機を操作することができないため、移動機の所有者を特定することができない。また、移動機の所有者にとっても紛失した移動機の手がかりを得ることができないため、移動機の探索に手間が掛かってしまう。
【０００６】
そこで、本発明の目的は、非接触ＩＣカードを搭載した移動機を紛失した場合において、その移動機の所有者のプライバシーを保護しつつ、その移動機の探索に要する手間を軽減することができる移動機を提供することにある。
【課題を解決するための手段】
【０００７】
本発明の移動機は、ユーザが自動改札機を通過する際に、該自動改札機と非接触で通信を行うことによりユーザが入場または退場した駅の駅名とその時刻とを含む入場記録または退場記録を取得する非接触ＩＣカードを搭載した移動機に適用される。
【０００８】
本発明の第１の態様の移動機は、移動機の操作手段が遠隔操作によりロック設定された状態において、非接触ＩＣカードが取得した入場記録または退場記録に基づいてユーザが最後に入場または退場した駅の駅名を取得し、取得した駅名を表示手段に表示する制御手段を有することを特徴とするものである。
【０００９】
本発明の第２の態様の移動機は、移動機の操作手段が遠隔操作によりロック設定された状態において、非接触ＩＣカードが取得した入場記録または退場記録に基づいてユーザが入場または退場した頻度が最も高い駅の駅名を取得し、取得した駅名を表示手段に表示する制御手段を有することを特徴とするものである。
【００１０】
この構成によれば、移動機を紛失した場合、その移動機の所有者が移動機を遠隔操作によりロック設定にすれば、その移動機を拾得した拾得者が移動機１の所有者に関する情報を取得することができ、それにより、その拾得者によって、移動機に駅名が表示されている駅に移動機が届けられることが期待される。また、移動機の所有者は、移動機に駅名が表示されている駅、すなわち最後に入場または退場した駅や利用頻度の高い駅に拾得物の問い合わせを行うことにより、移動機が駅へ届けられていた場合は、移動機を回収することができる。さらに、移動機が駅名を表示している場合でも、この移動機はロック設定された状態にあるため、移動機の所有者のプライバシーを保護することができる。
【００１１】
なお、制御手段は、移動機の操作手段が遠隔操作によりロック設定された状態において、入場記録または退場記録に基づいて取得した駅名を、記憶手段にアドレスが登録されている第１または第２の情報端末宛に無線手段からネットワーク経由で送信しても良い。
【００１２】
この構成によれば、移動機の所有者は、最後に入場または退場した駅や利用頻度が高い駅を思い出せない場合にも、第１または第２の情報端末に送信されてきた内容から、その駅の駅名を確認することができる。
【発明の効果】
【００１３】
以上説明したように本発明によれば、移動機が遠隔操作によりロック設定された状態において、非接触ＩＣカードが取得した入場記録または退場記録に基づいてユーザが最後に入場または退場した駅の駅名や、ユーザが入場または退場した頻度が最も高い駅の駅名を移動機に表示する構成となっている。
【００１４】
それにより、移動機を紛失した場合、その移動機の所有者が移動機を遠隔操作によりロック設定にすれば、その移動機を拾得した拾得者によって移動機に駅名が表示されている駅に移動機が届けられることが期待できるため、移動機の所有者が、移動機を探索するのに要する手間を軽減できるという効果を奏する。また、移動機はロック設定された状態にあるため、移動機の所有者のプライバシーを保護することができるという効果を奏する。
【００１５】
また、移動機が遠隔操作によりロック設定された状態において、入場記録または退場記録に基づいて取得した駅名を、記憶手段にアドレスが登録されている第１または第２の情報端末宛に送信する構成とすれば、移動機の所有者が、最後に入場または退場した駅や利用頻度が高い駅を思い出せない場合にも、第１または第２の情報端末に送信されてきた内容から、その駅の駅名を確認することができるという効果を奏する。
【発明を実施するための最良の形態】
【００１６】
以下に、本発明を実施するための最良の形態について図面を参照して説明する。
【００１７】
図１は、本発明の一実施形態の移動機を適用した自動改札システムの全体構成を示す図である。
【００１８】
図１を参照すると、本実施形態に係る自動改札システムは、移動機１００と、発券機２００と、自動改札機３００と、第１の情報端末である情報端末４００と、第２の情報端末である情報端末５００とを含む。なお、移動機１００、情報端末４００、および情報端末５００は、インターネットや電話回線網などであるネットワーク６００を経由して互いに接続されている。
【００１９】
移動機１００は、非接触ＩＣカードを搭載した携帯電話機、ＰＨＳなどの携帯情報端末である。この非接触ＩＣカードは、発券機２００に挿入された状態で発券機２００によるデータの読み出し／書き込みが可能であるとともに、移動機１００に搭載された状態で自動改札機３００と非接触での通信が可能である。また、移動機１００は、情報端末４００，５００とネットワーク６００経由での無線通信が可能である。
【００２０】
発券機２００は、駅に設置されており、発券機２００に挿入された状態の非接触ＩＣカードへのデータの読み出し／書き込みが可能な切符発券機である。非接触ＩＣカードがプリペイドカードである場合、ユーザは、発券機２００にプリペイドカードを挿入して利用限度額となる金額の入金を行い、入金金額の情報をプリペイドカードに登録する。また、非接触ＩＣカードが定期券である場合、ユーザは、発券機２００から定期券を購入したり、発券機２００に定期券を挿入して継続手続きを行ったりする。
【００２１】
自動改札機３００は、駅に設置されており、移動機１００に搭載された非接触ＩＣカードと非接触での通信が可能な改札機である。この自動改札機３００は、移動機１００に搭載された非接触ＩＣカードとの通信において、ユーザが入場または退場した駅の駅名や入退場した時刻等を含む入場記録または退場記録を、非接触ＩＣカードに送信し、登録させる。
【００２２】
情報端末４００は、移動機１００を所有するユーザが、ネットワーク６００経由で移動機１００を遠隔操作するため、特に移動機１００を遠隔操作によりロック設定するために使用する情報端末であり、電話機能やメール機能を備えた固定電話機、携帯電話機、パーソナルコンピュータ等で実現される。ロック設定とは、移動機１００のボタン押下による操作を無効とする設定を言う。なお、移動機１００を遠隔操作する方法としては、情報端末４００から移動機１００の電話番号に電話をかけて特定のコード番号を入力して操作する方法や、情報端末４００から特定のフォーマットに従った電子メールを移動機１００に送信して操作する方法等がある。
【００２３】
情報端末５００は、移動機１００を所有するユーザが、移動機１００に登録されている駅名であってそのユーザが最後に入場または退場した駅の駅名の転送先として指定する情報端末であり、メール機能を備えたパーソナルコンピュータ等で実現される。
【００２４】
図２は、図１に示した移動機１００の構成を示すブロック図である。
【００２５】
図２を参照すると、移動機１００は、制御部１０１と、無線部１０２と、アンテナ１０３と、音声入力部１０４と、音声出力部１０５と、表示部１０６と、操作部１０７と、記憶手段であるメモリ１０８と、非接触ＩＣカード搭載部１０９と、近接通信用アンテナ１１０とを含む。
【００２６】
制御部１０１は、移動機１００内の各部を制御するＣＰＵ等である。
【００２７】
無線部１０２は、アンテナ１０３を介して、不図示の基地局からネットワーク６００経由で、情報端末４００，５００との無線通信（音声通信等）を行う。
【００２８】
音声入力部１０４は、情報端末４００，５００との音声通信時には、移動機１００を使用するユーザ自身の音声が入力される。
【００２９】
音声出力部１０５は、情報端末４００，５００との音声通信時には、情報端末４００，５００を使用する通信相手の音声が出力される。
【００３０】
表示部１０６は、情報端末４００からの遠隔操作により移動機１００がロック設定された状態にある時（以降、「遠隔ロック設定時」とする）には、ユーザが最後に入場または退場した駅の駅名を表示する。このとき、駅名を、メモリ１０８に予め登録されているメッセージに埋め込んだ形で表示しても良い。また、表示部１０６は、ユーザとの接点部分となるユーザインタフェースとして、遠隔ロック設定時以外の時（以降、「通常時」とする）には、移動機１００の操作内容を視覚的に表示する。
【００３１】
操作部１０７は、遠隔ロック設定時には、ユーザによるボタン操作が不可に設定される。また、操作部１０７は、通常時には、表示部１０６に視覚的に表示された操作内容にしたがって、電話発信、電話着信、インターネット接続などの操作が行われる。
【００３２】
非接触ＩＣカード搭載部１０９は、非接触ＩＣカードが搭載される部分であり、非接触ＩＣカードは、近接通信用アンテナ１１０を介して自動改札機３００との通信を行い、ユーザの入場記録または退場記録を取得する。なお、移動機１００の非接触ＩＣカード搭載部１０９に搭載された非接触ＩＣカードを、非接触で発券機２００と通信する構成としても良い。この構成とする場合は、非接触ＩＣカード搭載部１０９に搭載された非接触ＩＣカードは、近接通信用アンテナ１１０を介して発券機２００との通信を行うことになる。
【００３３】
メモリ１０８は、非接触ＩＣカード搭載部１０９に搭載された非接触ＩＣカードが自動改札機３００との通信により取得した入場記録／退場記録や、ユーザが最後に入場または退場した駅の駅名が埋め込まれて表示されるメッセージや、移動機１００の識別番号となるＩＤ番号や、ユーザが最後に入場または退場した駅の駅名の転送先となる情報端末５００のメールアドレス等が登録される。
【００３４】
以下、図１に示した自動改札システムの動作について説明する。
【００３５】
最初に、ユーザが、非接触ＩＣカードを利用可能な状態にする場合に行われる動作と、その非接触ＩＣカードを移動機１００に搭載して自動改札機３００を通過する場合に行われる動作について、図３を参照して説明する。なお、図３においては、ユーザの入場駅、退場駅には、図１の自動改札機３００と同様の自動改札機３００Ａ、自動改札機３００Ｂがそれぞれ設置されているものとする。
（１）ユーザは、非接触ＩＣカードがプリペイドカードである場合、発券機２００にプリペイドカードを挿入した状態で、発券機２００に利用限度額となる金額の入金を行う。また、ユーザは、非接触ＩＣカードが定期券である場合、発券機２００に対して乗車区間、有効期間等を入力する手続きを行って定期券を購入する。
（２）すると、非接触ＩＣカードがプリペイドカードである場合、プリペイドカードには利用限度額の入金の情報が登録される。また、非接触ＩＣカードが定期券である場合、定期券には乗車区間、有効期間等の情報が登録される。
【００３６】
なお、上記（１）と（２）の処理は、非接触ＩＣカードがプリペイドカードである場合には利用限度額の金額を使い切るまでは省略可能であり、また、非接触ＩＣカードが定期券である場合には定期券の有効期間が切れるまでは省略可能である。
（３）ユーザは、入場駅において、非接触ＩＣカードを搭載した移動機１００を自動改札機３００Ａに近づける。
（４）すると、自動改札機３００Ａでは、移動機１００に搭載された非接触ＩＣカードに対して入場時刻や入場駅名等の入場記録を送信し、非接触ＩＣカードでは、自動改札機３００Ａから近接通信用アンテナ１１０を介して受信した入場記録が登録される。
（５）上記（３）と（４）の処理が正しく行われると、自動改札機３００Ａの扉が開き、ユーザは自動改札機３００Ａを通過可能となる。
（６）ユーザは、退場駅において、非接触ＩＣカードを搭載した移動機１００を自動改札機３００Ｂに近づける。このとき、移動機１００に搭載された非接触ＩＣカードから近接通信用アンテナ１１０を介して自動改札機３００Ｂに対して、上記（４）で登録された入場記録が送信される。
（７）すると、自動改札機３００Ｂでは、移動機１００に搭載された非接触ＩＣカードがプリペイドカードである場合は、入場記録、残金等を確認した上で、運賃の自動精算を行い、また、移動機１００に搭載された非接触ＩＣカードが定期券である場合は、入場記録、定期券の乗車区間、有効期間等を確認した上で、運賃の自動精算を行う。さらに、自動改札機３００Ｂでは、自動精算した精算結果と共に、退場時刻や退場駅名等の退場記録を移動機１００に搭載された非接触ＩＣカードに対して送信し、非接触ＩＣカードでは、自動改札機３００Ｂから近接通信用アンテナ１１０を介して受信した精算結果と退場記録とが登録される。
（８）上記（６）と（７）の処理が正しく行われると、自動改札機３００Ｂの扉が開き、ユーザは自動改札機３００Ｂを通過可能となる。
【００３７】
なお、移動機１００の制御部１０１は、非接触ＩＣカードに登録された入場記録／退場記録をメモリ１０８にも登録して管理しており、ユーザが最後に入場または退場した駅の駅名を、メモリ１０８に登録されている入場記録または退場記録に基づいて取得可能であるものとする。
【００３８】
次に、ユーザが移動機１００を紛失した場合に行われる動作について、図４を参照して説明する。なお、図４においては、ユーザは、移動機１００に搭載された非接触ＩＣカードを利用して自動改札機３００Ａ、３００Ｂのどちらかを少なくとも１回通過しており、移動機１００のメモリ１０８には入場記録または退場記録のどちらかが少なくとも登録されているものとする。
（１）まず、情報端末４００は、ユーザの指示に基づきネットワーク６００経由の遠隔操作により移動機１００をロック設定する旨の通知を、移動機１００に対して行う。
（２）これを受けて、移動機１００の制御部１０１は、操作部１０７でのボタン押下による操作が行えないようにロック設定に制御する。さらに、制御部１０１は、メモリ１０８に登録されている入場記録／退場記録に基づいて、ユーザが最後に入場または退場した駅の駅名（図４では「○○駅」）を取得し、取得した駅名を表示部１０６に表示する。このとき、制御部１０１は、駅名をメッセージの文中に埋め込んで表示する。このメッセージは、メモリ１０８に予め登録されているデフォルトのメッセージでも良く、ユーザ自身がメモリ１０８に予め登録しておいたメッセージでも良い。また、制御部１０１は、駅名が埋め込まれたメッセージと同時に、移動機１００を特定する識別番号としてメモリ１０８に登録されているＩＤ番号も表示する。
（３）移動機１００の制御部１０１は、メモリ１０８から取得した駅名と移動機１００を特定する識別番号とを記述した電子メールを、ユーザが予めメモリ１０８に転送先として登録しておいた情報端末５００のメールアドレス宛にネットワーク６００経由で送信する。
（４）これを受けて、情報端末５００は、移動機１００から受信した電子メールに記述された駅名と識別番号とを表示する。
【００３９】
次に、ユーザが移動機１００を紛失した場合に行われる基本動作について、図５のフローチャートを参照して説明する。
【００４０】
まず、情報端末４００では、ユーザの指示に基づきネットワーク６００経由の遠隔操作により移動機１００をロックするための遠隔ロック設定の通知を、移動機１００に対して行う（ステップ５０１）。
【００４１】
移動機１００では、情報端末４００からの遠隔ロック設定の通知がアンテナ１０３を介して無線部１０２に受信される（ステップ５０２）。すると、制御部１０１は、操作部１０７でのボタン操作が行えないようロック設定に制御する（ステップ５０３）。
【００４２】
続いて、移動機１００の制御部１０１は、メモリ１０８に登録されている入場記録／退場記録に基づいて、ユーザが最後に入場または退場した駅の駅名を取得し（ステップ５０４）、取得した駅名をメッセージの文中に埋め込んだ形で表示部１０６に表示する（ステップ５０５）。また、表示部１０６には、駅名を埋め込んだメッセージと同時に、移動機１００を特定する識別番号としてメモリ１０８に登録されているＩＤ番号も表示する。
【００４３】
続いて、移動機１００の制御部１０１は、メモリ１０８に駅名の転送先として登録されている情報端末５００のメールアドレスを転送先アドレスとして取得する（ステップ５０６）。
【００４４】
続いて、移動機１００の制御部１０１は、メモリ１０８から取得した駅名と移動機１００を特定する識別番号とを記述した電子メールを駅名通知メールとして、無線部１０２およびアンテナ１０３を介して、情報端末５００のメールアドレス宛にネットワーク６００経由で送信する（ステップ５０７）。
【００４５】
その後、情報端末５００では、移動機１００から送信されてきた駅名通知メールを受信し（ステップ５０８）、駅名通知メールに記述された駅名と移動機１００のＩＤ番号とを表示する。
【００４６】
上述したように本実施形態においては、移動機１００を紛失した場合、情報端末４００から遠隔操作により移動機１００をロック設定にすれば、ユーザ（移動機１００の所有者）が最後に入場または退場した駅の駅名が移動機１００の表示部１０６に表示される。
【００４７】
そのため、移動機１００の拾得者は、移動機１００の所有者に関する情報を取得することができる。また、移動機１００の所有者は、移動機１００に駅名が表示されている駅に、拾得者によって移動機１００が届けられることが期待できるため、移動機１００に駅名が表示されている駅、すなわち最後に入場または退場した駅に拾得物の問い合わせを行うことができ、それにより、移動機１００が駅へ届けられていた場合は、移動機１００を回収することができる。さらに、移動機１００が駅名を表示している場合でも、この移動機１００はロック設定された状態にあるため、移動機１００の所有者のプライバシーを保護することができる。
【００４８】
また、本実施形態においては、情報端末４００から遠隔操作により移動機１００をロック設定にすれば、移動機１００の所有者が最後に入場または退場した駅の駅名が、移動機１００に予めアドレスが登録されている情報端末５００へ電子メールで転送される。
【００４９】
そのため、移動機１００の所有者は、最後に入場または退場した駅が思い出せない場合にも、情報端末５００に受信された電子メールの内容に基づき、その駅の駅名を確認することができるため、その駅へ拾得物の問い合わせを行うことができる。
【００５０】
また、本実施形態においては、移動機１００の表示部１０６に駅名を表示すると同時に移動機１００の識別番号を表示し、情報端末５００へ駅名を転送すると同時に移動機１００の識別番号を転送している。
【００５１】
そのため、移動機１００が拾得者によって届けられて、その移動機１００を拾得物として管理している駅では、移動機１００が所有者のものであるかを、移動機１００の表示部１０６に表示されている識別番号と、情報端末５００に転送された識別番号とが一致するか否かに応じて判断することができる。
【００５２】
なお、本実施形態においては、移動機１００の制御部１０１において、入場記録／退場記録に基づいて、ユーザが最後に入場または退場した駅の駅名を取得し、その駅名を表示部１０６に表示するとともに情報端末５００に転送する構成としたが、本発明はこれに限らず、入場記録／退場記録に基づいて、ユーザが入場または退場した頻度が最も高い駅名を取得し、その駅名を表示部１０６に表示するとともに情報端末５００に転送する構成としても良い。
【００５３】
また、本実施形態においては、移動機１００の制御部１０１において、入場記録／退場記録に基づいて取得した駅名を情報端末５００に転送する構成としたが、本発明はこれに限らず、移動機１００を遠隔操作する情報端末４００のアドレスをメモリ１０８に登録しておき、情報端末４００に駅名を転送する構成としても良い。
【００５４】
また、本実施形態においては、移動機１００の制御部１０１において、ユーザが最後に入場または退場した駅の駅名を埋め込むメッセージとしてメモリ１０８に予め登録されているものを用いた構成としたが、本発明はこれに限らず、情報端末４００から遠隔操作でロック設定する旨の通知を受信した時に、情報端末４００から指定されたメッセージを用いる構成としても良い。
【００５５】
また、本実施形態においては、移動機１００の制御部１０１において、メモリ１０８にて入場記録／退場記録を管理し、メモリ１０８からユーザが最後に入場または退場した駅の駅名を取得する構成としたが、本発明はこれに限らず、非接触ＩＣカード搭載部１０９に搭載されている非接触ＩＣカードにて入場記録／退場記録を管理し、非接触ＩＣカードからユーザが最後に入場または退場した駅の駅名を取得する構成としても良い。
【００５６】
また、本実施形態においては、移動機１００の制御部１０１において、ユーザが最後に入場または退場した駅の駅名を取得し、その駅名を表示部１０６に表示するとともに情報端末５００に転送する構成としたが、本発明はこれに限らず、ユーザが予めメモリ１０８に登録しておいた駅名や警察署などの任意の場所を表示部１０６に表示するとともに情報端末５００に転送する構成としても良い。
【図面の簡単な説明】
【００５７】
【図１】本発明の一実施形態の移動機を適用した自動改札システムの全体構成を示す図である。
【図２】図１に示した移動機の構成を示すブロック図である。
【図３】図１に示した自動改札システムにおいて、ユーザが、非接触ＩＣカードを利用可能な状態にする場合に行われる動作と、その非接触ＩＣカードを移動機に搭載して自動改札機を通過する場合に行われる動作とを説明する図である。
【図４】図１に示した自動改札システムにおいて、ユーザが移動機を紛失した場合に行われる動作を説明する図である。
【図５】図１に示した自動改札システムにおいて、ユーザが移動機を紛失した場合に行われる動作を説明するフローチャートである。
【符号の説明】
【００５８】
１００    移動機
１０１    制御部
１０２    無線部
１０３    アンテナ
１０４    音声入力部
１０５    音声出力部
１０６    表示部
１０７    操作部
１０８    メモリ
１０９    非接触ＩＣカード搭載部
１１０    近接通信用アンテナ
２００    発券機
３００    自動改札機
４００    情報端末
５００    情報端末
６００    ネットワーク
【図１】
2006074660.tif 000003
【図２】
2006074660.tif 000004
【図３】
2006074660.tif 000005
【図４】
2006074660.tif 000006
【図５】
2006074660.tif 000007